(57)【要約】【課題】  住宅用サッシを簡単にしかも十分な取付強度をもってＡＬＣ又はＲＣ造の建物開口部にも取付けることができるサッシ取付構造を提供する。【解決手段】  住宅用サッシ枠の外周に形成されている取付縁の屋外側面に中空形材を矩形に連結してなる補助枠を当接し、取付縁の屋内側に取付金具を設けて、取付金具と補助枠をサッシ枠にビスにより固着し、取付金具をＡＬＣ又はＲＣ造の建物の開口部に設けられたサッシ枠固定部材に直接又は間接的に固定するようにした。【選択図】      図１
2006070606.tif 000002
【特許請求の範囲】
【請求項１】
住宅用サッシ枠の外周に形成されている取付縁の屋外側面に中空形材を矩形に連結してなる補助枠を当接するとともに、前記取付縁の屋内側に取付金具を設けて、前記取付金具と前記補助枠を前記サッシ枠にビスにより固着し、前記取付金具をＡＬＣ造又はＲＣ造の建物の開口部に設けられたサッシ枠固定部材に直接又は間接的に固定することを特徴とするサッシの取付構造。
【請求項２】
取付金具は、少なくとも補助枠の外周面に当接される第１辺とサッシ枠の取付縁の屋内側面に当接される第２辺を一体に有し、前記第１辺は前記補助枠の外周面にビスにより固着され、前記第２辺は前記サッシ枠の取付縁の屋内側面に当接されて、前記第２辺と前記取付縁を貫通し、前記補助枠にねじ込まれるビスにより固着されることを特徴とする請求項１に記載されたサッシの取付構造。
【請求項３】
取付金具は、補助枠の外周面に当接される第１辺とサッシ枠の取付縁の屋内側面に当接される第２辺と前記サッシ枠の前記取付縁よりも屋内側においてそのサッシ枠の外周面に当接される第３辺を一体に有し、前記第１辺は前記補助枠の外周面にビスにより固着され、前記第２辺は前記サッシ枠の取付縁の屋内側面に当接されて、前記第２辺と前記取付縁を貫通し、前記補助枠にねじ込まれるビスにより固着され、前記第３辺は前記サッシ枠の前記取付縁よりも屋内側においてそのサッシ枠の外周面にビスにより固着されることを特徴とする請求項１に記載されたサッシの取付構造。
【請求項４】
補助枠の上横部材及び左右縦部材に、屋外側端部においてサッシ枠の開口方向に突出する気密材保持部が形成され、その気密材保持部にサッシ枠の屋外側面に当接して係止される気密材が設けられていることを特徴とする請求項１ないし３のいずれかに記載のサッシの取付構造。
【請求項５】
補助枠の上横部材及び左右縦部材に、屋外側端部においてサッシ枠の開口方向に突出する気密材保持部が形成されて、その気密材保持部にサッシ枠の屋外側面に当接して係止される第１の気密材が設けられ、前記補助枠の屋内側面と前記サッシ枠の取付縁との間に第２の気密材が設けられていることを特徴とする請求項１ないし３のいずれかに記載のサッシの取付構造。
【請求項６】
補助枠の外周面のうち、少なくとも上横部材及び左右縦部材の該補助枠の開口と反対側の面に、外壁との間に施されるコーキング材を受け止めるための突縁が形成されていることを特徴とする請求項１ないし５のいずれかに記載のサッシの取付構造。
【発明の詳細な説明】
【技術分野】
【０００１】
本発明は、いわゆる住宅用サッシをＡＬＣ造又はＲＣ造の建物の開口部に取付けるためのサッシの取付構造に関する。
【背景技術】
【０００２】
ＡＬＣ造又はＲＣ造の建物の開口部にサッシを取付けるには、通常、サッシ枠の外周に対向する一対のアンカー取付用係止縁を一体に形成し、そのアンカー取付用係止縁に鋼製のアンカーを係止した後、そのサッシ枠を建物開口部に嵌合し、アンカーをＡＬＣ壁体を支持するアングル材又はＲＣ壁体に埋設された鉄筋に溶接して取り付けていた。従って、住宅用サッシ枠とは別個の形態のサッシ枠を製造する必要があるので、メーカ側にとっては製造コスト及び貯蔵コスト増大の原因であった。
【０００３】
そこで、コスト低減の目的で、住宅用サッシをＡＬＣ造又はＲＣ造の建物の開口部に取付ける試みがなされたことがある（例えば、特許文献１参照）。この先行技術は、建物開口部の内周に中空形材を矩形に連結してなる補助枠（アタッチメント枠）を固着して、木造住宅の開口枠と同じ枠体を形成し、その補助枠の屋外側面に住宅用サッシ枠の取付縁を当接して、屋外側からビスを取付縁と補助枠にねじ込んで固着するものである。
【特許文献１】特開平１０−１３１６１９号公報
【発明の開示】
【発明が解決しようとする課題】
【０００４】
しかしながら、上記先行技術は、補助枠を建物開口部に固定するために、外壁に孔を設けたり、ねじ受け部材を設けたりする手間が掛かるとともに、建物開口部に対して補助枠及びサッシ枠を十分な強度をもって固着することが容易でなく、さらに、サッシ枠の取付縁が補助枠の外面に当接して屋外側からビスで固着されるため、水密性確保と外観向上のために、補助枠の屋外側に化粧縁を装着する必要がある。従って、強度及び施工の面で問題がある。さらに、補助枠をその屋内側端部において建物開口部に固着し、サッシ枠の取付縁を補助枠の屋外側面に当接して取り付けるので、サッシ枠の窓開口部に対する位置関係が制約を受けることが多いという問題もあった。
【０００５】
本発明は、上記の点に鑑みてなされたものであり、その解決しようとする課題は、取付縁を有する住宅用サッシを、簡単な施工で、しかも、十分大きな取付強度をもってＡＬＣ造又はＲＣ造の建物開口部にも取付けることができるサッシ取付構造を提供することにある。
【課題を解決するための手段】
【０００６】
上記課題を解決するため、本発明によるサッシ取付構造は、住宅用サッシ枠の外周に形成されている取付縁の屋外側面に中空形材を矩形に連結してなる補助枠を当接するとともに、前記取付縁の屋内側に取付金具を設けて、前記取付金具と前記補助枠をビスにより前記サッシ枠に固着し、前記取付金具をＡＬＣ造又はＲＣ造の建物開口部に設けられたサッシ枠固定部材に直接又は間接的に固定することを特徴としている（請求項１）。
上記構成により、補助枠をサッシ枠の取付縁の屋外側面に当接して、取付縁の屋内側に取付金具を設けて、前記取付金具と前記補助枠をビスで前記住宅用サッシ枠に固着するので、取付縁よりも屋内側に取付金具をサッシ枠固定部材に固定する作業空間が確保される。従って、取付金具をＡＬＣ造又はＲＣ造の建物開口部に設けられたサッシ枠固定部材に容易に固定することができる。また、取付金具をＡＬＣ外壁を支持するアングル材又はＲＣ外壁に埋設されている鉄筋等のサッシ枠固定部材に溶接できるので、住宅用サッシ枠の建物開口部に対する取付強度が格段に大きくなる。
【０００７】
取付金具は、少なくとも補助枠の外周面に当接される第１辺とサッシ枠の取付縁の屋内側面に当接される第２辺と一体を有し、前記第１辺は前記補助枠の外周面にビスにより固着され、前記第２辺は前記サッシ枠の取付縁の屋内側面に当接されて、前記第２辺と前記取付縁を貫通し、前記補助枠にねじ込まれるビスにより前記アタッチメント枠に固着されることが望ましい（請求項２）。
取付金具の第１辺は補助枠の外周面に固着され、取付金具の第２辺はサッシ枠の取付縁の屋内側面に当接されて前記第２辺と前記取付縁を貫通し、前記補助枠にねじ込まれるビスにより固着されるから、取付金具と補助枠をサッシ枠に対して容易にかつ強固に取付けることができる。従って、住宅用サッシのＡＬＣ造又はＲＣ造の建物開口部に対する取付けを容易かつ堅固に行うことができる。
【０００８】
また、取付金具は、補助枠の外周面に当接される第１辺とサッシ枠の取付縁の屋内側面に当接される第２辺と前記サッシ枠の前記取付縁よりも屋内側においてそのサッシ枠の外周面に当接される第３辺を一体に有し、前記第１辺は前記補助枠の外周面にビスにより固着され、前記第２辺は前記サッシ枠の取付縁の屋内側面に当接されて、前記第２辺と前記取付縁を貫通し、前記補助枠にねじ込まれるビスにより固着され、前記第３辺は前記サッシ枠の前記取付縁よりも屋内側においてそのサッシ枠の外周面にビスにより固着されることが望ましい
（請求項３）。
このような取付金具の構造及び取付態様により、補助枠と取付金具とサッシ枠の相互結合が、特に取付金具とサッシ枠との結合が、さらに強固にされる。そして、その取付金具がＡＬＣ造又はＲＣ造の建物開口部に設けられたサッシ枠固定部材に固定されるので、住宅用サッシをＡＬＣ造又はＲＣ造の建物開口部に対する取付が一層堅固になる。
【０００９】
補助枠の上横部材及び左右縦部材には、屋外側端部においてサッシ枠の開口方向に突出する気密材保持部が形成され、その気密材保持部にサッシ枠の屋外側面に当接して係止される気密材が設けられていることが望ましい（請求項４）。
このような構成により、補助枠とサッシ枠の屋外側部分の間からの雨水浸入が阻止される。
【００１０】
補助枠の上横部材及び左右縦部材に、屋外側端部においてサッシ枠の開口方向に突出する気密材保持部が形成されて、その気密材保持部にサッシ枠の屋外側面に当接して係止される第１の気密材が設けられ、補助枠の屋内側面とサッシ枠の取付縁との間に第２の気密材が設けられていることが望ましい（請求項５）。
上記構成により、第１の気密材の装着位置から万一雨水が浸入しても、第２の気密材によりそれ以上浸入することが防止される。従って、補助枠を用いてＡＬＣ又はＲＣ造の建物に住宅用サッシを取付ける場合の防水性が向上する。
【００１１】
補助枠の外周面のうち、少なくとも上横部材及び左右縦部材の該補助枠の開口と反対側の面に、外壁との間に施されるコーキング材を受け止めるための突縁が形成されていることが望ましい（請求項６）。
上記構成により、住宅用サッシをＡＬＣ造又はＲＣ造の建物開口部に取付ける際に、補助枠の外周面と外壁との間に施すコーキング材が突縁により受止められるからコーキング作業を容易確実に行うことができ、施工能率が向上する。
【発明の効果】
【００１２】
請求項１の発明によれば、第１に、補助枠を住宅用サッシ枠の取付縁の屋外側面に当接して取付金具と補助枠をビスで前記サッシ枠に固着するので、取付縁よりも屋内側に取付金具をサッシ枠固定部材に固定する作業空間が確保されるから、取付金具をＡＬＣ造又はＲＣ造の建物開口部に設けられたサッシ枠固定部材に容易に固定することができる。第２に、取付金具をＡＬＣ外壁を支持するアングル材又はＲＣ外壁に埋設されている鉄筋等のサッシ枠固定部材に溶接できるので、住宅用サッシ枠の建物開口部に対する取付強度が格段に大きくなる。
【００１３】
請求項２の発明によれば、取付金具の第１辺は補助枠の外周面にビスにより固着され、取付金具の第２辺はサッシ枠の取付縁の屋内側面に当接されて前記第２辺と前記取付縁を貫通し、前記補助枠にねじ込まれるビスにより固着されるので、取付金具と補助枠をサッシ枠に対して容易にかつ強固に取付けることができる。従って、住宅用サッシのＡＬＣ造又はＲＣ造の建物開口部に対する取付けを容易堅固に行うことができる。
【００１４】
請求項３の発明によれば、取付金具は補助枠の外周面に当接される第１辺とサッシ枠の取付縁の屋内側面に当接される第２辺と前記サッシ枠の前記取付縁よりも屋内側においてそのサッシ枠の外周面に当接される第３辺を一体に有し、第１辺は補助枠の外周面にビスにより固着され、第２辺はサッシ枠の取付縁の屋内側面に当接されて前記第２辺と前記取付縁を貫通し、前記補助枠にねじ込まれるビスにより固着され、第３辺はサッシ枠の取付縁よりも屋内側においてそのサッシ枠の外周面にビスにより固着されるから、補助枠と取付金具とサッシ枠の相互結合が、とくに取付金具とサッシ枠との結合がさらに強固にされ、その取付金具がＡＬＣ造又はＲＣ造の建物開口部に設けられたサッシ枠固定部材に固定されるので、住宅用サッシをＡＬＣ造又はＲＣ造の建物に取付ける場合の取付強度をさらに大きくすることができる。
【００１５】
請求項４の発明によれば、補助枠の上横部材及び左右縦部材には屋外側端部において窓開口方向に突出する気密材保持部が形成され、その気密材保持部にサッシ枠の屋外側面に当接して係止される気密材が設けられているので、補助枠とサッシ枠の屋外側部分の間からの雨水の浸入が阻止される。
【００１６】
請求項５の発明によれば、補助枠の上横部材及び左右縦部材に、屋外側端部において窓開口方向に突出する気密材保持部が形成されてその気密材保持部にサッシ枠の屋外側面に当接して係止される第１の気密材が設けられ、補助枠の屋内側面とサッシ枠の取付縁との間に第２の気密材が設けられているので、第１の気密材の装着位置から万一雨水が浸入しても、第２の気密材によりそれ以上浸入することが防止される。従って、ＡＬＣ造又はＲＣ造の建物開口部に住宅用サッシを取付ける場合に良好な水密性が確保される。
【００１７】
請求項６の発明によれば、補助枠の外周面のうち、少なくとも上横部材及び左右縦部材の該補助枠の開口と反対側の面に、外壁との間に施されるコーキング材を受け止めるための突縁が形成されているから、住宅用サッシをＡＬＣ造又はＲＣ造の建物開口部に取付ける場合のコーキング作業を容易確実に行うことができ、施工能率が向上する。
【発明を実施するための最良の形態】
【００１８】
次に、本発明の実施の形態について図面を参照しながら説明する。
図１は住宅用サッシ枠をＡＬＣ建造物の開口部に取付ける場合の一例を示す縦断面図、図２は同じく横断面図、図３は補助枠の一構成部材の端面図、図４は補助枠の他の構成部材の端面図、図５は取付金具の端面図である。図６は住宅用サッシ枠をＲＣ建造物の開口部に取付ける場合の一例を示す縦断面図、図７は同じく横断面図である。
【００１９】
図１及び図２において、１０は既知の住宅用サッシ枠であり、上下の横枠１１，１２と左右の縦枠１３，１４を周知技術を用いて矩形に連結して構成されている。なお、図示の例では、サッシ枠１０が耐寒仕様の構造であるため、上下の横枠１１，１２と左右の縦枠１３，１４とがいずれも屋外側に面するアルミニウム形材１１ａ，１２ａ，１３ａ，１４ａと屋内側に面する樹脂形材１１ｂ，１２ｂ，１３ｂ，１４ｂを周知技術を用いて接合してなっている。また、上下枠１１，１２と縦枠１３，１４はサッシ枠の外周面に相当する位置に、共通の垂直面に沿ってサッシ枠で形成される開口の中心から離れる方向に突出する取付縁１１１，１２１，１３１，１４１を有している。これらの取付縁は、住宅用サッシ枠として木造家屋の窓開口枠の屋外側面に当接して木ねじなどにより固着されものである。さらに、上枠１１と左右の縦枠１３，１４は、ほぼ垂直な屋外側面１１２，１３２，１４２を有している。
【００２０】
また、図１及び図２において、２０は補助枠であり、それぞれ中空形材で作られた上下の横部材２１，２２と左右の縦部材２３，２４を矩形に連結して構成されている。上横部材２１と左右の縦部材２３．２４は、図３に上横部材２１について代表的に示すように、ほぼ同一の形状に形成されており、中空部２１ａ，２３ａ，２４ａを有し、その中空部の屋外側端部に共通な垂直面に沿って開口部方向に延出する気密材保持部２１ｂ，２３ｂ，２４ｂを一体に有し、その気密材保持部は屋内方向に窪む凹溝又はあり溝が形成され、各気密材保持部に気密材２１ｃ，２３ｃ，２４ｃが備えられている。また、上横部材２１と左右の縦部材２３，２４の補助枠の開口と反対側の面の中間部にその開口と反対方向に突出する突縁２１ｄ，２３ｄ，２４ｄが設けられている。これに対して、下横部材２２は、図４に示すように、中空部２２ａの下面から下方に延出する気密材保持部２２ｂが設けられてこれに気密材２２ｃが装着され、中空部の上面に排水性を高めるための傾斜面２２ｄが形成されている。さらに、上下の横部材２１，２２の中空部２１ａ，２２ａの内面にビスホール２１ｅ，２２ｅが形成されている。
こうして、上下の横部材２１，２２の長手方向両端面を左右の縦部材２３，２４の上下の対向面に当接し、それぞれ縦部材の外側からビスを上下の横部材のビスホール２１ｅ，２２ｅにねじ込んで補助枠２０が組立てられている。
【００２１】
上記矩形に枠組みされたサッシ枠１０の外周の、各枠材の取付縁１１１，１２１，１３１，１４１の屋外側部分に上記矩形に枠組みされた補助枠２０を嵌合し、かつ、その補助枠の屋内側面を取付縁１１１，１２１，１３１，１４１の屋外側面に当接し、続いて、これら二つの枠体１０，２０を取付金具３０，３０Ｅを用いて一体的に結合してある。
取付金具３０，３０Ｅは、溶接可能な金属板で作られている。上横部材２１と左右の縦部材２３，２４に取付けられる取付金具３０は、図５に示すように、屋外側の第１辺３１と、中間部の第２辺３２と、屋内側の第３辺３３とを一体に有して、いわば、第１辺と第３辺が中間の第２辺の幅方向両端部から互いに反対方向に延びて、変形Ｚ字形に形成されている。各辺にはねじ孔３４が形成されている。下横部材２２に取付けられる取付金具３０Ｅは、図１に示すように、第３辺の先端に下向き屈曲縁３５が形成されている。しかし、取付金具３０Ｅも取付金具３０と同じものを用いても良い。取付金具３０，３０Ｅは一例として長さ１０ないし２０ｃｍ程度の短尺物を適当な間隔を置いて取付けられる。しかし、取付金具３０，３０Ｅは長尺物を用いても良い。
【００２２】
そして、取付金具３０を用いて、サッシ枠１０に補助枠２０が次のように結合されている。すなわち、補助枠２０の外周面、さらに詳しくは、上横部材２１の上面、縦部材２３，２４の外面にそれぞれ取付金具３０の第１辺３１を当接し、第１辺に設けてあるねじ孔３４からビスｂ１を上横部材２１及び縦部材２３，２４にねじ込むとともに、取付金具３０の第２辺３２に設けてあるねじ孔からビスｂ２をサッシ枠の取付縁１１１，１３１，１４１に貫通し、さらに補助枠の上横部材２１及び縦部材２３，２４の屋内側面にねじ込み、さらにサッシ枠の上枠１１及び縦枠１３，１４の屋内側部分の内周側からビスｂ３を取付金具３０の第３辺３３にねじ込んでサッシ枠１０と補助枠２０と取付金具３０とがしっかり固着されている。
【００２３】
続いて、もう一つの取付金具３０Ｅの第１辺、第２辺及び第３辺をそれぞれ補助枠２０の下横材２２の下面及びサッシ枠１０の下枠１２の取付縁１２１の屋内側面並びにサッシ枠の下枠の取付縁よりも屋内側部分の下面に当接し、第１辺及び第２辺に設けてあるねじ孔からビスｂ１，ｂ２を補助枠の下横材２２にねじ込むとともに、サッシ枠の下枠の屋内側面に係止部材３６をビスｂ３で固着して、その係止部材３６で取付金具３０Ｅの屈曲縁３５を係止している。
【００２４】
補助枠の上横部材２１、左右の縦部材２３，２４の気密材２１ｃ，２３ｃ，２４ｃは、少なくとも中間部のビスｂ２をねじ込む際に、サッシ枠１０の屋外側面に密着されるので、補助枠２０がサッシ枠１０に気密材２１ｃ，２３ｃ，２４ｃを介して当接され係止されるため、サッシ枠１０と補助枠２０との結合が非常に堅固になる。また、補助枠の屋外側端部とサッシ枠の屋外側端部との間に気密材２１ｃ，２３ｃ，２４ｃが介在されるので、振動音の発生が防止され、かつ、水密性が確保される。
好ましくは、図示の例のように、補助枠２０の各部材２１，２２，２３，２４の屋内側面とサッシ枠１０の取付縁１１１，１２１，１３１，１４１との間にも第２の気密材２１ｃ´，２２ｃ´，２３ｃ´，２４ｃ´を介在させると、第１の気密材２１ｃ，２３ｃ，２４ｃの装着部分から万一水が浸入することがあっても、第２の気密材２１ｃ´，２２ｃ´，２３ｃ´，２４ｃ´によってそれ以上に浸入することを防止することができる。すなわち、第１の気密材と第２の気密材とによって水密性がさらに向上する。また、振動騒音の発生がさらに抑制される。
【００２５】
上記のように取付金具３０，３０Ｅにより一体的に結合されたサッシ枠１０と補助枠２０は、ＡＬＣ外壁Ｗ１に形成された窓開口部に嵌合され、補助枠２０の外周面と開口部の内周面との間に通常用いられる介在物（図示せず）を詰めて、サッシ枠の水平及び垂直レベルを確保する。その状態で、各取付金具３０及び３０ＥにＬ字形の溶接可能な接続部材４０の一端を溶接し、その接続部材の他端部を窓開口部を形成しているＡＬＣ外壁Ｗ１を支持している溶接可能な金属製のアングル材５０に溶接することにより、サッシ枠１０と補助枠２０とを堅固に固定されている。この場合、上記のように、補助枠２０はサッシ枠１０の取付縁１１１，１２１，１３１，１４１の屋外側に取付けられているので、上下、左右のすべてにおいて、取付金具３０，３０Ｅの屋内側に作業空間が確保されるため、接続部材４０をその空間に収容して溶接作業を障害を受けることなく、容易に行うことができる。
【００２６】
固定された補助枠２０の上横部材２１及び左右の縦部材２３，２４の外周面に形成してある突縁２１ｄ，２３ｄ，２４ｄの屋外側面にバックアップ材６０を当てて固定し、そのバックアップ材の屋外側に形成される空間にコーキング材７０を充填することにより、防水施工が容易確実に行うことができる。下横部材２２においては、気密材保持部２２ｂに水切部材２５が接続されている。
【００２７】
図１及び図２において、８０は固定されたサッシ枠の屋内側面にねじｎにより固定された額縁であり、９０は、その額縁に一端が固定された内装板である。
【００２８】
図６と図７は、本発明のサッシ取付構造をＲＣ造の建物に適用する場合の一例を示す。図１及び図２の実施例と異なる点のみを説明すると、取付金具３０を介して補助枠２０を結合したサッシ枠１０は、ＲＣ外壁Ｗ２の窓開口部に面する上側の凹部及び左右両側の凹部に嵌合するとともに、上部及び左右の取付金具３０をＲＣ外壁Ｗ２に埋設されている鉄筋５０Ｅに当接し、かつ、下部の取付金具３０ＥをＲＣ壁Ｗ２の窓開口部の下部に埋設されている鉄筋５０Ｅに当接して、既知の介在物（図示せず）を詰めてこれら取付金具を介して補助枠２０を結合したサッシ枠１０を安定させた状態で、各取付金具３０，３０ＥをＲＣ壁Ｗ２から突出されている鉄筋５０Ｅに溶接する。この場合も、各取付金具の屋内側には作業空間が形成されるので、溶接作業を容易に行うことができる。溶接作業を終了した後、補助枠２０の屋外側面とＲＣ外壁Ｗ２の凹部の補助枠２０の屋外側面よりも屋外側に存在する側面との間にバックアップ材６０を介してコーキング材７０を充填し、さらに、図１及び図２の実施例の場合と同様に、サッシ枠の屋内側端部に額縁８０をねじｎで固定し、その額縁に内装板９０を装着することにより、サッシ枠のＲＣ外壁Ｗ２に対する取付施工が終了する。なお、図６の補助枠の下横部材２２に固着された水切り部材２５Ｅは、その水切り部材の下面に形成された係止溝にアンカー部材２６を係止し、そのアンカー部材２６に溶接された付加鉄筋５０Ｅ´をＲＣ外壁Ｗ２の鉄筋５０Ｅに溶接してサッシ枠の下部の取付強度を増大させてある。
【００２９】
図１及び図２の実施例においては、取付金具３０，３０Ｅに溶接用接続部材４０を別に用意したが、このような接続部材を用いずに、取付金具３０，３０Ｅ自体に一端がＡＬＣ支持用アングル材５０又はＲＣ外壁の鉄筋５０Ｅに溶接可能な部材を一体に設けることもできる。このようにした場合は、現場での溶接作業をさらに簡単にすることができる。
【図面の簡単な説明】
【００３０】
【図１】住宅用サッシ枠をＡＬＣ建造物の開口部に取付ける場合の一例を示す縦断面図。
【図２】同じく横断面図。
【図３】補助枠の一構成部材の端面図。
【図４】補助枠の他の構成部材の端面図。
【図５】取付金具の端面図。
【図６】住宅用サッシ枠をＲＣ建造物の開口部に取付ける場合の一例を示す縦断面図。
【図７】同じく横断面図。
【符号の説明】
【００３１】
１０        サッシ枠
１１，１２    上、下枠
１３，１４    縦枠
１１１，１２１，１３１，１４１  取付縁
１１２，１３２，１４２          屋外側面
２０        補助枠
２１          上横部材
２２          下横部材
２３，２４    左右の縦部材
２１ａ，２２ａ，２３ａ，２４ａ    中空部
２１ｂ，２２ｂ，２３ｂ，２４ｂ    気密材保持部
２１ｃ，２２ｃ，２３ｃ，２４ｃ    気密材
２１ｄ，２３ｄ，２４ｄ  突縁
３０，３０Ｅ  取付金具
３１          第１辺
３２          第２辺
３３          第３辺
５０，５０Ｅ  サッシ枠固定部材
５０    アングル材
５０Ｅ  鉄筋
７０      コーキング材
【図１】
2006070606.tif 000003
【図２】
2006070606.tif 000004
【図３】
2006070606.tif 000005
【図４】
2006070606.tif 000006
【図５】
2006070606.tif 000007
【図６】
2006070606.tif 000008
【図７】
2006070606.tif 000009